(57)【要約】【課題】外装板がフレーム組立体に簡便かつ強固に取り付けられ、また簡便に取り外されて装置内部の作業スペースを確保できる圧縮空気除湿装置の外装体を提供する。【解決手段】外装体は、上面フレーム２０、棚板フレーム２１、底面フレーム２２および支柱フレーム２４が組み合わされて構成されるフレーム組立体３に外装板として脇板１・２および前後板を備えた圧縮空気除湿装置の外装体において、脇板１・２あるいは前後板が上側に突出した断面Ｌ字型板５と、下側に引っ掛け鉤６とを複数有し、上面フレーム２０に前記断面Ｌ字型板の受け入れ孔７を有し、底面フレーム２２に前記引っ掛け鉤６の受け入れ孔９を有し、前記断面Ｌ字型板５が該断面Ｌ字型板の受け入れ孔７に導入され、はめ込まれた状態で該断面Ｌ字型板の受け入れ孔７に当接し、前記引っ掛け鉤６が該引っ掛け鉤の受け入れ孔９に掛着する位置関係に配置されている。【選択図】図１
2008177359.tif 000002
【特許請求の範囲】
【請求項１】
上面フレーム、棚板フレーム、底面フレームおよび支柱フレームが組み合わされて構成されるフレーム組立体に外装板として脇板および前後板を備えた圧縮空気除湿装置の外装体において、脇板あるいは前後板が上側に突出した断面Ｌ字型板と、下側に引っ掛け鉤とを複数有し、上面フレームに前記断面Ｌ字型板の受け入れ孔を有し、底面フレームに前記引っ掛け鉤の受け入れ孔を有し、前記断面Ｌ字型板が該断面Ｌ字型板の受け入れ孔に導入され、はめ込まれた状態で該断面Ｌ字型板の受け入れ孔に当接し、前記引っ掛け鉤が該引っ掛け鉤の受け入れ孔に掛着する位置関係に配置されていることを特徴とする外装体。
【請求項２】
前記外装板の一つが、左右に複数枚に分割されていることを特徴とする請求項１に記載の外装体。
【請求項３】
前記外装板の一つが、上下に複数枚に分割され、分割されたうちの最下部以外の外装板が、下側に前記断面Ｌ字型板の受け入れ孔を有していることを特徴とする請求項１又は２のいずれかに記載の外装体。
【請求項４】
前記断面Ｌ字型板に穴を有し、前記断面Ｌ字型板の受け入れ孔に突起を有し、該穴が該突起に掛止可能であることを特徴とする請求項１〜３のいずれかに記載の外装体。
【請求項５】
最下部の外装板が下端に差し込み板を有し、底面フレームが差し込み板の受け入れ孔を有していることを特徴とする請求項１〜４のいずれかに記載の外装体。
【請求項６】
請求項１〜５のいずれかに記載の外装体を備えていることを特徴とする圧縮空気除湿装置。
【発明の詳細な説明】
【技術分野】
【０００１】
本発明は、圧縮空気除湿装置のフレーム組立体に外装板が覆われて構成される外装体に関するものである。
【背景技術】
【０００２】
工場などの現場では、エアコンプレッサ等から送出される高圧空気を清浄化し、また除湿するために圧縮空気除湿装置が用いられている。圧縮空気除湿装置は、装置内部の配管や配電盤等を支え、保護するために外装体で覆われている。
【０００３】
外装体は、天板、棚板、底板に支柱等のフレームが組み合わされたフレーム組立体に、外装板として脇板や前後板が覆われて構成される。通常、覆われた外装板は、ビス等によって固定される。
【０００４】
この場合、少しでもビスの挿入穴の位置がずれると、ビスが入りにくくなる。また、圧縮空気除湿装置は大型であるため、固定するビスの個数が多い。さらに、外装板は重いため、２人以上で作業をする必要がある。したがって、外装板の取り付けには、作業に手間と時間がかかり、面倒である。万一外装板を落下させてしまうと、作業者が怪我をしたり、外装板を損傷させる恐れがある。
【０００５】
また、外装体の内部には、高圧空気や集められた水の配管等が備えられている。配管の点検時には、外装板を取り外す必要がある。そのためには、固定された多数のビスを全て外さなければならない。したがって、取り外しの際も、取り付けと同様に、作業に手間と時間がかかり、また危険を伴う。
【０００６】
【特許文献１】特開平７−２７９９２３号公報
【発明の開示】
【発明が解決しようとする課題】
【０００７】
本発明は前記の課題を解決するためになされたもので、外装板がフレーム組立体に簡便かつ強固に取り付けられ、また簡便に取り外されて装置内部の作業スペースを確保できる圧縮空気除湿装置の外装体を提供することを目的とする。
【課題を解決するための手段】
【０００８】
前記の目的を達成するためになされた、特許請求の範囲の請求項１に記載された外装体は、上面フレーム、棚板フレーム、底面フレームおよび支柱フレームが組み合わされて構成されるフレーム組立体に外装板として脇板および前後板を備えた圧縮空気除湿装置の外装体において、脇板あるいは前後板が上側に突出した断面Ｌ字型板と、下側に引っ掛け鉤とを複数有し、上面フレームに前記断面Ｌ字型板の受け入れ孔を有し、底面フレームに前記引っ掛け鉤の受け入れ孔を有し、前記断面Ｌ字型板が該断面Ｌ字型板の受け入れ孔に導入され、はめ込まれた状態で該断面Ｌ字型板の受け入れ孔に当接し、前記引っ掛け鉤が該引っ掛け鉤の受け入れ孔に掛着する位置関係に配置されていることを特徴とする。
【０００９】
請求項２に記載された外装体は、請求項１に記載されたもので、前記外装板の一つが、左右に複数枚に分割されていることを特徴とする。
【００１０】
請求項３に記載された外装体は、請求項１又は２のいずれかに記載されたもので、前記外装板の一つが、上下に複数枚に分割され、分割されたうちの最下部以外の外装板が、下側に前記断面Ｌ字型板の受け入れ孔を有していることを特徴とする。
【００１１】
請求項４に記載された外装体は、請求項１〜３のいずれかに記載されたもので、前記断面Ｌ字型板に穴を有し、前記断面Ｌ字型板の受け入れ孔に突起を有し、該穴が該突起に掛止可能であることを特徴とする。
【００１２】
請求項５に記載された外装体は、請求項１〜４のいずれかに記載されたもので、最下部の外装板が下端に差し込み板を有し、底面フレームが差し込み板の受け入れ孔を有していることを特徴とする。
【００１３】
請求項６に記載された圧縮空気除湿装置は、請求項１〜５のいずれかに記載の外装体を備えていることを特徴とする。
【発明の効果】
【００１４】
本発明の外装体は、ビス等を使わず外装板をフレーム組立体に簡便かつ強固に取り付けられる。また、外装板が分割されてフレーム組立体に組み込まれるため、一人でも作業を行うことができる。したがって、作業の時間と労力を短縮することができる。
【００１５】
また、この外装体は、取り付けの際と同様に、取り外しを簡便に行うことができ、装置内に組み込まれた配管等のメンテナンス作業を簡便に行うことができる。
【００１６】
また、この外装体は、外装板の断面Ｌ字型板先端に穴を有し、フレーム組立体のＬ字型板受け入れ孔に突起を有する。そのため、万一着脱の際に、外装板から手が離れてしまっても、穴が突起に引っかかり、外装板を落下させる心配がない。したがって、落下による怪我や外装板の損傷を未然に防ぐことができる。
【発明を実施するための好ましい形態】
【００１７】
以下、本発明の好ましい実施形態を図面を参照して詳細に説明するが、本発明の範囲はこれらの実施形態に限定されるものではない。
【００１８】
本発明を適用する圧縮空気除湿装置の外装体の一実施形態であって、外装板の取り付け前の斜視図が図１に示してある。図２はその要部を示す側面図であり、図３及び図５はその要部を示す断面図である。尚、図１において、構成自体は図示省略しているが、図８に示すように圧縮空気除湿装置の構成は組み込まれる。
【００１９】
図１に示すように、この外装体は、フレーム２０・２１・２２・２４を組み合わせたフレーム組立体３が外装板１・２に覆われて構成される。フレーム組立体３は、天板が付く上面フレーム２０、棚板が付く棚板フレーム２１、底板が付く底面フレーム２２、及び支柱フレーム２４からなる。また、フレーム組立体３の側面には、上部外装板１および下部外装板２からなる外装板が覆われている。また、同様に反対側面及び背面にも上下二枚の外装板が覆われている（不図示）。
【００２０】
上面フレーム２０は、Ｌ字型板受け入れ孔７を有している。Ｌ字型板受け入れ孔７は、下側中央に突起１６を有している（図２参照）。棚板フレーム２１は、長孔１２と引っ掛け鉤受け入れ孔９とを有している。また、底面フレーム２２は、引っ掛け鉤受け入れ孔９と差し込み板受け入れ孔１４とを有している。
【００２１】
上部外装板１および下部外装板２は、上端に穴あき断面Ｌ字型板５を有している。穴あき断面Ｌ字型板５は、先端に穴１７を有している（図３参照）。
【００２２】
また、図３及び図５に示すように、上部外装板１および下部外装板２は、下側に引っ掛け鉤６を備えている。さらに、上部外装板１は、下端にＬ字型板受け入れ孔７を有している（図５参照）。また、下部外装板２は、下端に差し込み板１８を有している。
【００２３】
本発明を適用する圧縮空気除湿装置の外装体は以下のようにして外装板がフレーム組立体に取り付けられる。
【００２４】
図３に示すように、上部外装板１の穴あき断面Ｌ字型板５を、上面フレーム２０のＬ字型板受け入れ孔７に挿入する。さらに、上部外装板１を矢印の方向に押し込む。これにより、図４に示すように、Ｌ字型板５がＬ字型板受け入れ孔７に当接するとともに、引っ掛け鉤６が引っ掛け鉤受け入れ孔９に挿入され、掛着する。したがって、上部外装板１は、フレーム組立体３に確りと固定される。
【００２５】
また、取り付けの際に、万一上部外装板１が手から離れてしまっても、穴１７が突起１６に引っかかるので、上部外装板１を落下させる心配がない。
【００２６】
図５に示すように、下部外装板２の穴あき断面Ｌ字型板５を、矢印の方向に上部外装板１のＬ字型板受け入れ孔７及び棚板フレーム２１の長孔１２に挿入する。これにより、図６に示すように、下部外装板２の断面Ｌ字型板５が長孔１２の上端に突き当たる。また、Ｌ字型板５がＬ字型板受け入れ孔７に当接し、引っ掛け鉤６が引っ掛け鉤受け入れ孔９に挿入される。そして、下部外装板２を矢印の方向に下げる。
【００２７】
その結果、図７に示すように、引っ掛け鉤６が引っ掛け鉤受け入れ孔９に掛着するとともに、差し込み板１８が差し込み板受け入れ孔１４に嵌挿される。したがって、下部外装板２は、フレーム組立体３および上部外装板１に確りと固定される。
【００２８】
また、外装板の取り外しは、上記と逆の手順により、簡便に行うことができる。
【００２９】
図８には、上記本発明の外装体に圧縮空気除湿装置が組み込まれた状態の斜視図が示されている。外装体には前面パネル３０がはめ込まれて取り付けられる。
【００３０】
外装板が上下二枚に分割された例を示したが、三枚以上に分割されていてもよい。また、左右に複数枚に分割されていてもよいし、上下及び左右に複数枚に分割されていてもよい。
【産業上の利用可能性】
【００３１】
本発明を適用する圧縮空気除湿装置の外装体は、外装板がフレーム組立体にビス等を使わず簡便に着脱される。したがって、ビス等にかかる材料費と外装板を着脱するためにかかる人件費とを削減することができる。
【図面の簡単な説明】
【００３２】
【図１】本発明を適用する圧縮空気除湿装置の外装体の外装板の取り付け前を示す斜視図である。
【図２】本発明を適用する外装体の上部外装板の取り付け途中を示す要部側面図である。
【図３】本発明を適用する外装体の上部外装板の取り付け途中を示す要部断面図である。
【図４】本発明を適用する外装体の上部外装板の取り付け後を示す要部断面図である。
【図５】本発明を適用する外装体の下部外装板の取り付け途中を示す要部断面図である。
【図６】本発明を適用する外装体の下部外装板の取り付け途中を示す要部断面図である。
【図７】本発明を適用する外装体の下部外装板の取り付け後を示す要部断面図である。
【図８】本発明を適用する外装体を備えた圧縮空気除湿装置を示す斜視図である。
【符号の説明】
【００３３】
１は上部外装板、２は下部外装板、３はフレーム組立体、５は穴あき断面Ｌ字型板、６は引っ掛け鉤、７はＬ字型板受け入れ孔、９は引っ掛け鉤受け入れ孔、１２は長孔、１４は差し込み板受け入れ孔、１６は突起、１７は穴、１８は差し込み板、２０は上面フレーム、２１は棚板フレーム、２２は底面フレーム、２４は支柱フレーム、３０は前面パネルである。
【図１】
2008177359.tif 000003
【図２】
2008177359.tif 000004
【図３】
2008177359.tif 000005
【図４】
2008177359.tif 000006
【図５】
2008177359.tif 000007
【図６】
2008177359.tif 000008
【図７】
2008177359.tif 000009
【図８】
2008177359.tif 000010